(57)【特許請求の範囲】
【請求項１】
インターネット経由で取引金融機関のサービスを利用するためのバンキング端末、セリ商品についての市況を表示する市況表示端末及び市況表示装置を有して開設した市場の設備管理を支援する市場開設会社用コンピュータと、
買受人がセリ商品にについて入札時に用いる応札機、セリ商品情報を取得するセリ操作端末及びセリ表示装置を有して買受人による商品のセリ操作を支援するセリ用コンピュータと、
セリに出品予定の自社商品情報を管理する管理端末、卸売商品の売り上げ情報を管理する経理端末を有する卸売会社用コンピュータと、
出荷資材を決定するための資材端末を有する資材会社用コンピュータと、
を備え、それぞれのコンピュータが前記市場開設会社用コンピュータとＬＡＮで接続またはサーバを通して接続し、卸売市場のセリ業務を支援するよう構成された市場システムにおいて、
前記市場開設会社用コンピュータは、
市場内関連会社が出荷しかつ落札された販売データを収集し、当該商品を落札した買受人に一括請求する手段と、
前記買受人に対する落札商品代金の請求は取引金融機関への一括入金として要求する手段と、
前記取引金融機関のコンピュータシステムに、オンラインによって前記落札商品代金の一括引落し請求をする手段と、
前記取引金融機関のコンピュータシステムからオンラインによって前記落札商品代金の振込み完了通知を受信したときに当該落札商品代金を前記販売データ別に分割して各会社用コンピュータに支払い通知し、前記買受人から入金された販売代金を市場内関連会社別に分配して支払う手段と、
買受人への請求情報及び売掛情報の管理、買受人からの入金情報の管理を行う債権管理手段と、
市場内関連会社への支払情報及び買掛情報の管理を行う債務管理手段と、を備えたことを特徴とする市場システム。
【請求項２】
配送会社用コンピュータを設け、前記市場開設会社用コンピュータは、セリ落とされた商品の配送会社用コンピュータとの間をＬＡＮで接続する手段を備えたことを特徴とする請求項１記載の市場システム。
【請求項３】
インターネット経由で取引金融機関のサービスを利用するためのバンキング端末、セリ商品についての市況を表示する市況表示端末及び市況表示装置を有して開設した市場の設備管理を支援する市場開設会社用コンピュータと、
買受人がセリ商品にについて入札時に用いる応札機、セリ商品情報を取得するセリ操作端末及びセリ表示装置を有して買受人による商品のセリ操作を支援するセリ用コンピュータと、
セリに出品予定の自社商品情報を管理する管理端末、卸売商品の売り上げ情報を管理する経理端末を有する卸売会社用コンピュータと、
出荷資材を決定するための資材端末を有する資材会社用コンピュータと、
セリ落とされた商品の配送状況を確認する配送会社用コンピュータを、それぞれ前記市場開設会社用コンピュータとＬＡＮで接続またはサーバを通して接続構成した市場システムにおける落札されたセリ商品の精算方法であって、
前記市場開設会社用コンピュータは、
市場内関連会社が出荷しかつ落札された販売データを収集し、当該商品を落札した買受人に一括請求するステップと、
前記買受人に対する落札商品代金の請求は取引金融機関への一括入金として要求するステップと、
前記取引金融機関のコンピュータシステムに、オンラインによって前記落札商品代金の一括引落し請求をするステップと、
前記取引金融機関のコンピュータシステムからオンラインによって前記落札商品代金の振込み完了通知を受信したときに当該落札商品代金を前記販売データ別に分割して各会社用コンピュータに支払い通知し、前記買受人から入金された販売代金を市場内関連会社別に分配して支払うステップと、
買受人への請求情報及び売掛情報の管理、買受人からの入金情報の管理を行う債権管理ステップと、
市場内関連会社への支払情報及び買掛情報の管理を行う債務管理ステップと、を備えたことを特徴とするセリ商品の精算方法。
【発明の詳細な説明】
【技術分野】
【０００１】
本発明は、卸売市場などの市場を開設し、コンピュータを利用してセリ業務を支援するシステムに係り、特に商品の買受人と出荷者間の精算方法または商品の売買会社間の精算方法に関する。
【背景技術】
【０００２】
この種の市場システムは、例えば、花き市場や青果市場、魚市場などの卸売市場や園芸用品などの資材市場を開設し、卸売市場のセリ業務や資材市場のセリ（受発注）業務をコンピュータシステムによって支援する。
【０００３】
コンピュータシステムは、例えば、機械セリ用コンピュータシステムでは、商品の情報を買受人に表示してセリ操作までを行うセリ処理機能のほか、商品入荷処理機能、落札価格などのセリ結果入出力機能、セリ落とされた商品の配送処理機能、セリ商品についての各種伝票の発行機能などを持つ。
【０００４】
また、開設市場をインターネット上にも拡張した市場システムでは、コンピュータシステムにはネットワーク通信機能、市場内セリ情報とインターネット上のセリ情報とを連携させたセリ情報管理機能、インターネット上の買受人や卸売会社・仲卸会社に対する電子決済機能などを追加機能として設ける（例えば、特許文献１、特許文献２参照）。
【先行技術文献】
【特許文献】
【０００５】
【特許文献１】特開２００７−１７９３２１号公報
【特許文献２】特開２００１−２５００７１号公報
【発明の概要】
【発明が解決しようとする課題】
【０００６】
市場に出荷される商品の売買人あるいは売買会社としては、商品の買受人、商品の出荷者（例えば、花き出荷者）、商品の卸売会社や仲卸会社、商品の配送会社などがある。
【０００７】
このうち、商品の販売元になる卸売会社、仲卸会社および資材会社などは別会社であり、売買された商品に対する精算に関しては、コンピュータシステムによって会社別に情報管理を行っていた。このため、買受人毎の精算情報が各社毎の個別管理となり、各買受人の与信情報（信用力情報）を共有することもできなかった。また、精算は金融機関経由で会社別の振り込みで行う場合が多く、個別に手数料が発生したり、この場合には入金の確認に時間がかかり、また間違いが発生しやすい問題があった。
【０００８】
本発明の目的は、市場に参加する会社別の精算などのコンピュータ処理を確実、容易にし、セリ業務、精算業務の効率化および円滑化を図ることができる市場システムおよび精算方法を提供することにある。
【課題を解決するための手段】
【０００９】
本発明は、前記の課題を解決するため、市場開設会社用コンピュータは、市場内関連会社（商品の卸売会社、仲卸会社、資材会社など）が販売した販売データを収集し、これら販売データを集計して各買受人に一括請求し、買受人から入金された販売代金を商品の市場内関連会社別に分配して支払うようにしたもので、以下のシステムおよび方法を特徴とする。
【００１０】
（システムの発明）
インターネット経由で取引金融機関のサービスを利用するためのバンキング端末、セリ商品についての市況を表示する市況表示端末及び市況表示装置を有して開設した市場の設備管理を支援する市場開設会社用コンピュータと、
買受人がセリ商品にについて入札時に用いる応札機、セリ商品情報を取得するセリ操作端末及びセリ表示装置を有して買受人による商品のセリ操作を支援するセリ用コンピュータと、
セリに出品予定の自社商品情報を管理する管理端末、卸売商品の売り上げ情報を管理する経理端末を有する卸売会社用コンピュータと、
出荷資材を決定するための資材端末を有する資材会社用コンピュータと、
セリ落とされた商品の配送状況を確認する配送会社用コンピュータを、それぞれ前記市場開設会社用コンピュータとＬＡＮで接続またはサーバを通して接続構成した市場システムにおいて、
前記市場開設会社用コンピュータは、
市場内関連会社が出荷しかつ落札された販売データを収集し、当該商品を落札した買受人に一括請求する手段と、
前記買受人に対する落札商品代金の請求は取引金融機関への一括入金として要求する手段と、
前記取引金融機関のコンピュータシステムに、オンラインによって前記落札商品代金の一括引落し請求をする手段と、
前記取引金融機関のコンピュータシステムからオンラインによって前記落札商品代金の振込み完了通知を受信したときに当該落札商品代金を前記販売データ別に分割して各会社用コンピュータに支払い通知し、前記買受人から入金された販売代金を市場内関連会社別に分配して支払う手段と、
買受人への請求情報及び売掛情報の管理、買受人からの入金情報の管理を行う債権管理手段と、
市場内関連会社への支払情報及び買掛情報の管理を行う債務管理手段と、を備えたことを特徴とする。
【００１４】
配送会社用コンピュータを設け、前記市場開設会社用コンピュータは、セリ落とされた商品の配送会社用コンピュータとの間をＬＡＮで接続する手段を備えたことを特徴とする。
【００１５】
（方法の発明）
インターネット経由で取引金融機関のサービスを利用するためのバンキング端末、セリ商品についての市況を表示する市況表示端末及び市況表示装置を有して開設した市場の設備管理を支援する市場開設会社用コンピュータと、
買受人がセリ商品にについて入札時に用いる応札機、セリ商品情報を取得するセリ操作端末及びセリ表示装置を有して買受人による商品のセリ操作を支援するセリ用コンピュータと、
セリに出品予定の自社商品情報を管理する管理端末、卸売商品の売り上げ情報を管理する経理端末を有する卸売会社用コンピュータと、
出荷資材を決定するための資材端末を有する資材会社用コンピュータと、
セリ落とされた商品の配送状況を確認する配送会社用コンピュータを備え、それぞれのコンピュータが前記市場開設会社用コンピュータとＬＡＮで接続またはサーバを通して接続し、卸売市場のセリ業務を支援するよう構成された市場システムにおける落札されたセリ商品の精算方法であって、
前記市場開設会社用コンピュータは、
市場内関連会社が出荷しかつ落札された販売データを収集し、当該商品を落札した買受人に一括請求するステップと、
前記買受人に対する落札商品代金の請求は取引金融機関への一括入金として要求するステップと、
前記取引金融機関のコンピュータシステムに、オンラインによって前記落札商品代金の一括引落し請求をするステップと、
前記取引金融機関のコンピュータシステムからオンラインによって前記落札商品代金の振込み完了通知を受信したときに当該落札商品代金を前記販売データ別に分割して各会社用コンピュータに支払い通知し、前記買受人から入金された販売代金を市場内関連会社別に分配して支払うステップと、
買受人への請求情報及び売掛情報の管理、買受人からの入金情報の管理を行う債権管理ステップと、
市場内関連会社への支払情報及び買掛情報の管理を行う債務管理ステップと、を備えたことを特徴とする。
【発明の効果】
【００１９】
以上のとおり、本発明によれば、市場開設会社用コンピュータは、市場内関連会社（商品の卸売会社、仲卸会社、資材会社など）が販売した販売データを収集し、これら販売データを集計して買受人に一括請求し、買受人から入金された販売代金を商品の出荷側会社別に分配して支払うようにしたため、市場に参入する会社別の精算などのコンピュータ処理を確実、容易にし、セリ業務、精算業務の効率化および円滑化を図ることができる。
【図面の簡単な説明】
【００２０】
【図１】本発明の実施形態を示すコンピュータシステムの構成図。
【図２】市場開設会社用コンピュータと仲卸会社用コンピュータの具体的な構成図。
【図３】資材会社用コンピュータと配送会社用コンピュータの具体的な構成図。
【図４】セリ用コンピュータと卸売会社用コンピュータの具体的な構成図。
【図５】セリ落とされた商品代金の精算処理例。
【図６】市場開設会社と卸売会社との間の精算機能構成図。
【図７】市場開設会社と仲卸会社との間の精算機能構成図。
【図８】市場開設会社と資材会社との間の精算機能構成図。
【図９】市場開設会社用コンピュータの債権債務機能構成図。
【発明を実施するための形態】
【００２１】
図１は、本発明の実施形態を示すコンピュータシステムの構成図であり、市場システム（花き市場や資材市場）のセリ業務を支援する。同図は、市場開設会社（開設者）用コンピュータ１０、仲卸会社用コンピュータ２０、資材会社用コンピュータ３０、配送会社用コンピュータ４０、卸売会社用コンピュータ８０の各コンピュータをＬＡＮ接続して上位ネットワークを構築する。
【００２２】
市場開設会社用コンピュータ１０、仲卸会社用コンピュータ２０、資材会社用コンピュータ３０、配送会社用コンピュータ４０、卸売会社用コンピュータ８０などを接続する上位ネットワークにはセリ管理用サーバ５０およびセリ情報用サーバ６０が接続され、これらサーバ５０，６０はセリ用コンピュータ７０を接続する下位ネットワークにも接続される。
【００２３】
なお、セリ機能をインターネット上にも拡張する市場システムでは、市場開設会社用コンピュータ１０などが接続されるＬＡＮから通信サーバ経由で外部の受発注者システムと接続される。
【００２４】
図２〜図４は、各会社用コンピュータおよびセリ用コンピュータの具体的な構成を示す。図２の（ａ）に示す市場開設会社用コンピュータ１０には市場開設会社の担当者が市場システムを管理する開設者端末１１、インターネット経由で取引金融機関のサービスを利用するためのバンキング端末１２、セリ商品についての市況を表示するための市況表示端末１３およびセリ商品についての各種情報を印刷するプリンタ１４がＬＡＮ接続され、市況表示端末１３には市況表示装置１５が通信ケーブルで接続される。
【００２５】
図２の（ｂ）に示す仲卸会社用コンピュータ２０には、１台／１社割り当てで、場内卸売会社より仕入れを行った商品情報の登録、仕入商品に対する値付け設定、販売先毎への振り分け設定等を行うための仲卸端末２１、仲卸商品に係る各種情報を印刷するプリンタ２２，２３およびアクセスポイント２４がＬＡＮ接続され、アクセスポイント２４経由でハンディターミナル２５からの入力も可能としている。
【００２６】
図３の（ａ）に示す資材会社用コンピュータ３０には、１台／１社割り当てで、自社担当者が出荷資材等を決定するための資材端末３１、出荷商品に係る各種情報を印刷するプリンタ３２，３３がＬＡＮ接続される。
【００２７】
図３の（ｂ）に示す配送会社用コンピュータ４０には、セリ落とされた商品の配送状況を配送会社の担当者が確認する配送確認端末４１とその情報を印刷するためのプリンタ４２およびアクセスポイント４３がＬＡＮ接続され、アクセスポイント経由でハンディターミナル４４から入力を受け付け可能としている。
【００２８】
図４の（ａ）に示すセリ用コンピュータ７０には、買受人がセリ商品について入札する応札機７１、セリ状況やセリ商品の商品情報などを取得するためのセリ操作端末７２、セリ商品についての情報を提供するキオスク（ＫＩＯＳＫ）端末７３がＬＡＮ接続され、セリ操作端末７２にはセリ表示装置７４も通信ケーブルで接続される。なお、キオスク（ＫＩＯＳＫ）端末は各買受人毎に１台ずつではなく、例えば市場内に４台設置され、各買受人はいずれかのキオスク（ＫＩＯＳＫ）端末にログインして市場で購入した分の仮購買伝票を発行させることにより、市場での購買金額を知ることができる。
【００２９】
図４の（ｂ）に示す卸売会社用コンピュータ８０には、セリに出品予定の自社商品の各種情報を管理する管理端末８１、ＦＡＸ端末８２、卸売商品をセリ出荷するための業務端末８３、花きセリシステム用のフロリス端末８４、卸売商品の売り上げ情報を管理する経理端末８５、卸売商品の荷受け情報を管理する荷受端末８６、卸売商品の持込み情報を管理する持込荷受け端末８７、卸売商品の各種情報を印刷するプリンタ８８、アクセスポイント８９がＬＡＮ接続され、アクセスポイント８９経由でハンディターミナル９０からの情報入力も可能としている。
【００３０】
図５は、各会社用コンピュータとセリ用コンピュータ、および取引金融機関のコンピュータシステムの間での精算処理例を示す。この処理は市場開設会社用コンピュータ１０を中枢部として実行され、卸売会社用コンピュータ８０と仲卸会社用コンピュータ２０と資材会社用コンピュータ３０、配送会社用コンピュータ４０が自社商品の販売データ（商品名、商品番号、セリ値、数量など）を個々に市場開設会社用コンピュータ１０に請求し（Ｓ１）、市場開設会社用コンピュータ１０がこれら会社別の販売データをセリ用コンピュータ７０別に取りまとめて買受人に一括支払いを請求し（Ｓ２）、セリ用コンピュータ７０に対する一括支払い請求に対して、買受人によってネットバンクなどの取引金融機関のコンピュータシステム１００に一括入金が要求される（Ｓ３）。
【００３１】
市場開設会社用コンピュータ１０は、買受人別に一括支払い請求した落札商品代金を、取引金融機関のコンピュータシステム１００に対してオンラインで一括引き落としを請求し（Ｓ４）、この請求に対する取引金融機関のコンピュータシステム１００から振込完了通知を受信したとき（Ｓ５）、当該落札商品代金を各会社の販売データ別に分割して各会社用コンピュータ８０，２０，３０、４０別に一括支払いを行う（Ｓ６）。この支払いは例えば当該会社がもつ金融機関の口座に振り込み、そのことを当該会社用コンピュータに通知する。
【００３２】
したがって、購入された商品の請求処理は、市場開設会社用コンピュータ１０が市場でセリ落とされた商品の出荷側になる卸売会社、仲卸会社、資材会社別に取りまとめ、一括で買受人に請求し、この請求に対して一括入金された代金を販売会社（卸売会社、仲卸会社、資材会社など）別に分配して各販売会社に支払う。このようにセリ落とされた商品の販売データと、その入金と支払い処理をシームレスにすること、すなわち市場開設会社用コンピュータ１０が一括請求・一括精算を行うことで、買受人および卸売会社、仲卸会社、資材会社が別々に精算を行うことなく、すなわち各会社用コンピュータが買受人に対して個別に請求するという手間を不要にし、さらに買受人が個別に支払う手間を不要にする。また、市場開設会社用コンピュータ１０では、バンキングシステムから振替不可となった買受人情報を表示する機能を持たせることで、開設者の担当者が端末から「販売停止」情報を入力することで、この情報が市場内のＬＡＮにより卸売会社、仲卸会社、資材会社に通知することで買受人の与信状況も共有することができる。
【００３３】
また、市場内キャッシュレスでセリ業務を支援し、買受人よりの売掛金回収に関して銀行を経由した引き落としシステムを採用し、銀行との間の取引は、バンキングソフトウェアを利用して、オンラインで自動的に行えることにより、入金の確認が迅速になり、また精算処理の間違いを無くすことができる。
【００３４】
図６〜図８は、図５における精算処理のための詳細な機能構成図を示し、図６には市場開設会社と卸売会社との間の精算機能構成図を、図７は市場開設会社と仲卸会社との間の精算機能構成図を、図８は市場開設会社と資材会社との間の精算機能構成図を示す。
【００３５】
図６では、卸売会社用コンピュータ８０の締日業務部８０Ａは、当日のセリが終了したときに、買受人向けの請求一覧表作成と請求データ作成を行い、請求データを市場開設会社用コンピュータ１０に要求する。この要求に対し、市場開設会社用コンピュータ１０は当該卸売会社の請求データとして請求書を作成し、買受人に請求書を送付する。さらに、市場開設会社用コンピュータ１０は取引金融機関のコンピュータシステム１００が持つファームバンキング１００Ａと回線接続して請求内容を送信する。この請求内容の代金が振り込まれている場合、取引金融機関のコンピュータシステム１００は、ファームバンキング１００Ａ経由で市場開設会社用コンピュータ１０に振替データ（ＦＢデータ）を戻し、このＦＢデータを市場開設会社用コンピュータ１０が卸売会社用コンピュータ８０に請求代金の回収結果として送信する。卸売会社用コンピュータ８０の出荷者向け業務部８０Ｂは、商品を買い入れた出荷者（会社）１１０に対する支払予算表、支払明細表をＦＢデータとして作成し、ファームバンキング１００Ａ経由で取引金融機関のコンピュータシステム１００に出荷者１１０への振込データとして送信する。
【００３６】
以上の図６の機能構成は、図７または図８に示すように、市場開設会社と仲卸会社または資材会社との間で同様の構成にされる。ただし、図７では、仲卸会社は卸売会社１２０から商品を購入するため、卸売会社向け業務部２０Ｂが支払予算表などを作成する。また、図８では、資材会社は資材業者１３０から資材を購入するため、資材会社向け業務部３０Ｂが支払予算表などを作成する。
【００３７】
図９は、図５における精算処理のための市場開設会社用コンピュータ１０の債権債務機能構成図を示す。図９において、市場開設会社用コンピュータ１０は、各会社用コンピュータ１０〜４０，８０にセリ商品の市況情報（入荷情報、市況情報など）を提供する市況報告機能１０Ａ、セリ市場で売買された取扱高などを集計して市場運用を管轄する県、市の機関へ報告する報告機能１０Ｂを設ける。
【００３８】
また、市場開設会社用コンピュータ１０は、精算業務に係わる機能として、以下に詳細に説明する、債権管理業務機能１０Ｃと債務管理機能１０Ｄを設ける。
【００３９】
（１０Ｃ）債権管理機能
買受人への請求情報及び売掛情報の管理、買受人からの入金情報の管理を行う業務機能であり、下記（１０Ｃ−Ａ）から（１０Ｃ−Ｄ）の機能を設ける。
【００４０】
（１０Ｃ−Ａ）請求状況確認機能
（ａ）その他請求入力…買受人に対し、花き以外の配達料や資材購入費用等の請求情報を登録する機能である。日次処理前までに入力することで当日の精算伝票に反映される。この入力には販売日、買受人を指定する。
【００４１】
（ｂ）請求金額一覧表…請求データのうち、締日が該当するデータの買受人毎の一覧を印刷する機能である。
【００４２】
（１０Ｃ−Ｂ）入金入力機能
（ａ）買受人からの入金を管理する機能である。買受人が金融機関との自動オンライン決済をせず、口座振込や市場窓口にて直接現金にて購入商品の支払を行った場合の実績入力を行う。
【００４３】
（１０Ｃ−Ｃ）入金状況確認機能
（ａ）入金プルーフリスト…入金入力で入力された情報を印刷する機能である。
【００４４】
（ｂ）買受人入金データリスト…入金日を指定して、指定された日の買受人の入金状況を印刷する機能である。
【００４５】
（ｃ）領収書…入金日、買受人を指定して、入金日時点の領収書を印刷する機能である。
【００４６】
（ｄ）売上入金日計票…買受人別に、指定された日の売上、入金の集計値を印刷する機能である。
【００４７】
（１０Ｃ−Ｄ）売掛状況確認機能
（ａ）売掛管理表…指定期間内の買受人毎の集計データを印刷する機能である。
【００４８】
（ｂ）買受人別売掛残高一覧表…指定された年月の買受人別売掛残高一覧表を印刷する機能である。買受人毎の全明細を印刷し、別ページに当月売掛残がマイナスの買受人のみの明細を印刷する。
【００４９】
（ｃ）請求元帳…買受人毎に、指定した期間の売上情報及び入金情報を印刷する機能である。
【００５０】
（１０Ｄ）債務管理機能
出荷側会社への支払情報及び買掛情報の管理を行う機能であり、下記（１０Ｄ−Ａ）から（１０Ｄ−Ｅ）の機能を設ける。
【００５１】
（１０Ｄ−Ａ）払状況確認機能
（ａ）支払明細書…出荷者毎に支払日に於ける締め対象期間内の、日毎の売立金額及び差し引き支払額を印刷する機能である。
【００５２】
（ｂ）支払証明書…指定された出荷者の支払日に於ける締め対象期間内の、日毎の売立金額及び支払額を印刷する機能である。
【００５３】
（ｃ）支払一覧表…支払締処理の結果を元に、担当部門、締日、県、出荷者毎に支払情報、売立情報の一覧を印刷する機能である。
【００５４】
（ｄ）支払プルーフリスト…「支払入力」又は「個別支払締処理」にて登録した支払情報を、支払日毎支払先毎に一覧印刷する機能である。
【００５５】
（ｅ）支払明細表…支払いの明細表を作成する機能である。
【００５６】
（ｆ）未払リスト…支払が未確定の明細を印刷する機能である。
【００５７】
（ｇ）支払日別支払一覧表…「支払入力」又は「個別支払締処理」にて登録した支払情報を、支払日毎支払先毎に支払区分別の一覧を印刷する機能である。
【００５８】
（１０Ｄ−Ｂ）支払入力機能
（ａ）支払入力…出荷者／荷扱業者に対して、支払締処理により支払予定情報となっているものを指定して、支払を決定する機能である。支払データは振込み以外の支払データも対象とする。
【００５９】
（１０Ｄ−Ｃ）個別支払締処理機能
（ａ）個別集計…出荷者を指定して、前回締以降、今回締日までの支払金額を個別集計し、支払データを作成する機能である。
【００６０】
（１０Ｄ−Ｄ）買掛状況確認機能
（ａ）支払一覧表…支払締日を指定して、指定された日の買掛金一覧表を印刷する機能である。
【００６１】
（ｂ）○月○日締買掛金一覧表…指定された年月の出荷者別の荷主勘定表を印刷する機能である。
【００６２】
（ｃ）仕入元帳…出荷者毎に、指定した期間の売立情報及び支払情報を印刷する機能である。
【００６３】
（ｄ）荷主勘定表…荷主の勘定表を作成する機能である。
【００６４】
（ｅ）出荷者台帳…出荷者台帳を作成する機能である。
【００６５】
（ｆ）当日買掛金支払リスト…日を指定して、指定された日の当日買掛金支払リストを印刷する機能である。
【００６６】
（ｇ）請求払出荷者支払残一覧…請求払い（締め無し）出荷者の支払残高を印刷する機能である。
【００６７】
（ｈ）仕切り支払日報…指定した販売日の仕切内容の一覧出力を行う機能である。
【００６８】
（１０Ｄ−Ｅ）口座振込管理機能
（ａ）振込データ作成…支払方法が“振込”となっている出荷者の支払情報から、振込み依頼用のデータを作成する機能である。本処理では、データベースに格納し別機能にて修正を可能とする。実際に銀行へ送信するテキストデータは別機能により作成する。
【００６９】
（ｂ）振込データメンテナンス…振込データ作成処理にて作成された振込依頼データ（全銀協データ）の内容確認及び修正する機能である。
【００７０】
（ｃ）銀行振込テキストデータ出力処理…振込依頼データ（全銀協データ）から、実際に銀行へ送信する（全銀協手順）テキストデータの作成を行う機能である。作成したデータは市販の全銀協データ伝送パッケージソフトに渡す。
【００７１】
（ｄ）振込依頼一覧表…支払データのうち、振込日が該当するデータを口座番号毎に印刷する機能である。
【符号の説明】
【００７２】
１０  市場開設会社（開設者）用コンピュータ
２０  仲卸会社用コンピュータ
３０  資材会社用コンピュータ
４０  配送会社用コンピュータ
５０，６０  サーバ
７０  セリ用コンピュータ
８０  卸売会社用コンピュータ
１００  取引金融機関のコンピュータシステム
【図１】
0005582526.tif 000002
【図２】
0005582526.tif 000003
【図３】
0005582526.tif 000004
【図４】
0005582526.tif 000005
【図５】
0005582526.tif 000006
【図６】
0005582526.tif 000007
【図７】
0005582526.tif 000008
【図８】
0005582526.tif 000009
【図９】
0005582526.tif 000010